(57)【要約】【課題】  製造が簡単確実で、装着時に快適なリストバンド連続体の提供。【解決手段】  リストバンド３０の、バンド本体からの切り離し跡３０Ａはリストバンド側に凹陥した内側となるので、人体に装着した際に、切り離し跡３０Ａが皮膚を傷つける危険が少ない。【選択図】        図６
2005134839.tif 000002
【特許請求の範囲】
【請求項１】
表面中央部に印字領域を備えたリストバンドが、帯状のバンド本体から切り離し部で切り離し可能に区画形成されており、さらに前記バンド本体が長手方向に連続形成されているリストバンド連続体であって、前記切り離し部はリストバンド側に凹陥する接続部と、該各接続部間に形成された直線状の切断部とからなることを特徴とするリストバンド連続体。
【発明の詳細な説明】
【技術分野】
【０００１】
本発明はリストバンドが形成されてなるリストバンド連続体に係り、特に病院において入院患者の手首や足首などに取り付けて患者情報の表示に用いるリストバンドが形成されてなるリストバンド連続体に関する。
【背景技術】
【０００２】
近年、病院の入院患者に対する医療過誤や新生児の取り違えが大きな社会問題となっている。病院には様々な病気や突発の事故、出産などで時間に関係なく日々新しい患者や妊婦などが通院や入院のために来院しており、医療現場は２４時間休むことなく稼働している。それに対して、看護婦などの個々の医療スタッフは交代で勤務しており、担当する複数の患者全ての診療現場に立ち会うのは事実上不可能である。特に新しく担当するようになった患者については、患者本人の顔と名前、病名、治療内容、治療経過などが医療スタッフの側で十分に結びついていない場合があり、このことが、時として上記のような医療過誤や新生児の取り違えにつながる要因の一つとなっている。このようなことから、記憶に頼らなくとも患者や妊婦などと医療情報を結びつけることができるシステム作りが求められている。前記の要請に対し、最近になって医療情報を表示したリストバンドを患者や妊婦などの手や足に取り付け、患者や妊婦などの管理に供する試みが一部の病院で実施されている。このリストバンドには、あらかじめ氏名やＩＤナンバー、バーコードのような患者や妊婦などの必要情報がプリンタで印字されており、投薬時や処置時にこの表示内容とカルテの内容とを比較確認し、医療過誤の防止を図るものである。
【０００３】
そして、そのようなリストバンド連続体として特許文献１が知られている。
【特許文献１】特開２００３−１５７０１０号公報
【発明の開示】
【発明が解決しようとする課題】
【０００４】
ところで、従来のリストバンドは、バンド本体から分離するための切り離し部がハーフカットやミシン目で形成されていた。
【０００５】
ハーフカットは、基材の厚み方向に対し途中まで切り込んだもので、厚み方向に残った基材で接続されており、力を加えて引き裂くことで分離可能としたものであるが、ハーフカットは形成するのが難しく、切断不良や切断加工の過剰による不良発生が多いという問題がある。
【０００６】
ミシン目は、切断面に切り離し跡が残るため、人体に装着したとき皮膚に擦過傷を生じ易く、装着感が悪いという問題がある。
【０００７】
本発明は斯かる実情に鑑みなされたもので、製造が簡単確実で、装着時に快適なリストバンド連続体を提供することを目的とする。
【課題を解決するための手段】
【０００８】
上記課題を解決するため、本発明に係るリストバンド連続体が採用する構成の特徴は、バンド本体とリストバンドとの切り離し部が、リストバンド側に凹陥する接続部と、該各接続部間に形成された直線状の切断部とから形成したことにある。
【０００９】
上記構成によれば、バンド本体とリストバンドとは接続部と該各接続部の間の切断部とからなるので、従来のミシン目と同様に簡単に形成でき、作用も確実である。また、切断後には従来のミシン目と同様に切り離し跡が残るが、該切り離し跡が凹陥部内に形成されるため、人体装着時に皮膚を傷つける恐れがない。
【発明の効果】
【００１０】
本発明のリストバンド連続体によれば、切り離し部を簡単に形成でき、作用も確実となる。また、切り離し跡が凹陥部内に引っ込んで形成されるので、人体装着時に皮膚を傷つける恐れが無く、装着感が良好である。
【発明を実施するための最良の形態】
【００１１】
以下、本発明の実施の形態を図示例と共に説明する。
【００１２】
図１は、本発明に係るリストバンド連続体の概観を示す斜視図、図２は図１中のバンド本体ひとつを取り出してリストバンドを分離する様子を示す説明図であり、図３、図４、図５は変形例、図６は人体に装着した状態を示す説明図である。
【００１３】
リストバンド連続体２００は図１に示すように、バンド本体２０が連続形成されており、このバンド本体２０は前後に隣接する他のバンド本体と巾方向に横断するミシン目１により切り離し可能に型抜き形成されている。
【００１４】
そしてバンド本体２０の中央部には、リストバンド３０が切り離し部３１により切り離し可能に型抜き形成されている。このリストバンド３０は管理に必要な各種情報を表示するための印字領域３２を中央部に備えており、且つ長手方向にバンド穴３３、３３、…が形成されている。
【００１５】
また、プリンタで印字するとき下流となるリストバンド３０の後側には、型抜き部３４を設けてリストバンド３０の取り出しを容易にしている。リストバンド連続体２００はプリンタで文字やバーコードを印字したの後、図２の如くバンド本体２０からリストバンド３０を切り取り、患者などの手首や足首に巻き付けて長さ調整し、重なったバンド穴３３にクリップ３５（図２参照）を取り付けて固定するようになっている。
【００１６】
また図示はしないが、リストバンド連続体２００は、合成紙からなる表面基材、合成樹脂からなる中間基材、布帛からなる裏面基材の三層構造となっている。これらの基材は入浴や汗、消毒用のアルコールなどの薬品などにより簡単に剥がれることがないように、例えばウレタン系やアクリル系、ビニルアルコール系などの接着剤で相互強固に貼合されている。合成紙からなる表面基材は、特に熱転写方式や電子写真方式のプリンタによる印字適性及び、使用時の耐水性、耐アルコール性などを考慮して設けられたものである。したがって、このような目的を達成するものであれば、表面基材は合成紙にこだわらず、例えばＰＥＴ系樹脂やポリエチレン系樹脂、ポリプロピレン系樹脂、ポリスチレン系樹脂なども同様に用いることができる。さらに、表面基材には印字を容易にし、且つ印字を強固に定着させるために基材表面にコート層を設けることができる。このコート層には、例えばＰＥＴ系樹脂、アクリル系樹脂、ウレタン系樹脂、スチレンアクリル系樹脂などの材料を用いることができる。中間基材は、主に印字の際にプリンタ内で搬送障害、いわゆるジャムリが起こらないように基材全体にコシを付ける目的で設けたものである。このようなジャムリを防止するためには、表面基材８を厚くしたり、表面基材８の材質を例えばＰＥＴ樹脂などのような硬い材質の材料に変更してコシをつけてもよく、このようにすれば中間基材をなくして、表面基材と裏面基材の二層構造とすることも可能である。また、裏面基材は、リストバンド３０を手首などに取りつけた際に直接肌に触れる部分となる。したがって裏面基材はこの点を考慮し、肌触りが良くて汗をかいても乾燥しやすくて蒸れやかぶれが生じにくいように、通気性の高いポリエチレン製不織布などの布帛が用いられている。
【００１７】
而して、リストバンド３０とバンド本体２０との切り離し部３１は、図３ないし図５に示す如く、リストバンド３０側に凹陥する接続部３６と、該各接続部３６間に形成された直線状の切断部３７とから形成されている。
すなわち、前記接続部３６と切断部３７とは従来のミシン目と同様に、引き裂くことにより分離可能であるが、分離後は図６に示すように、切り離し跡３６Ａが凹陥部内に形成されるため、人体装着時に皮膚を傷つける恐れがない。
【００１８】
また、切り離し部３１は歯形が二次元的に複雑になることはあっても、従来のミシン刃で形成可能であり、ハーフカットのように深さ調整が困難でなく、製造が容易であり、作用も確実である。
【００１９】
尚、実施の形態の説明に用いた切り離し部は例示であって、特許請求の範囲に記載した要旨を逸脱しない範囲での変形が可能である。
また、上記実施の形態では、印字領域３２に対してバンド穴３３の形成されたバンド部分が左右対称な長さに形成されたものを図示したが、本発明はこれに限定することなく、バンド穴３３が片側に多く形成され、バンド部分が印字領域３２に大して非対称なリストバンドにも適用できる。
【図面の簡単な説明】
【００２０】
【図１】本発明の実施の形態に係るリストバンド連続体の全体概観図である。
【図２】バンド本体からリストバンドを分離する説明図である。
【図３】リストバンドの切り離し部を示す説明図である。
【図４】図３の変形例を示す説明図である。
【図５】図３の変形例を示す説明図である。
【図６】人体に装着した状態の説明図である。
【符号の説明】
【００２１】
２００…リストバンド連続体、２０…バンド本体、３０…リストバンド、３１切り離し部、３６…接続部、３６Ａ…切り離し跡、３７…切断部
【図１】
2005134839.tif 000003
【図２】
2005134839.tif 000004
【図３】
2005134839.tif 000005
【図４】
2005134839.tif 000006
【図５】
2005134839.tif 000007
【図６】
2005134839.tif 000008